(57)【要約】【課題】画像データに対して外部フラッシュの特性を反映した色補正を適切に行える技術を提供する。【解決手段】デジタルカメラ１は、外部フラッシュであるフラッシュ６が装着可能となっており、このフラッシュ６にはフラッシュＲＯＭ６３が内蔵されている。フラッシュＲＯＭ６３には、フラッシュ６に固有な特性を示すＩＣＣプロファイルが記録されている。デジタルカメラ１はフラッシュ６と連動して撮影する際には、取得した画像データをフラッシュ６から取得したＩＣＣプロファイルと関連付けて記録する。これにより、外部フラッシュの種類に応じたＩＣＣプロファイルを関連付けることができるため、画像データに対して外部フラッシュの特性を反映した色補正を適切に行うことができる。【選択図】図２
2006087099.tif 000002
【特許請求の範囲】
【請求項１】
外部フラッシュと連動可能なデジタルカメラであって、
自身の特性に係る色補正情報を格納する外部フラッシュから、前記色補正情報を取得する取得手段と、
被写体に係る画像データを取得する撮像手段と、
前記色補正情報を前記画像データに関連付けする関連付け手段と、
を備えることを特徴とするデジタルカメラ。
【請求項２】
外部フラッシュと連動可能なデジタルカメラであって、
外部フラッシュの種類ごとに、その特性に係る色補正情報を記憶する記憶手段と、
被写体に係る画像データを取得する撮像手段と、
連動している外部フラッシュの種類に応じた前記色補正情報に基づいて前記画像データに色補正を行う色補正手段と、
を備えることを特徴とするデジタルカメラ。
【請求項３】
外部フラッシュと連動可能なデジタルカメラであって、
被写体に係る画像データを取得する撮像手段と、
連動している外部フラッシュの特性に係る色補正情報と前記画像データとを関連付けて記録する記録手段と、
を備えることを特徴とするデジタルカメラ。
【請求項４】
デジタルカメラと連動可能なフラッシュであって、
当該フラッシュの特性に係る色補正情報を格納する格納手段、
を備えることを特徴とするフラッシュ。
【請求項５】
デジタルカメラと連動可能なフラッシュと、
前記フラッシュの特性に係る色補正情報を、前記デジタルカメラによって読込み可能に格納した可搬性の記録媒体と、
を備えることを特徴とするフラッシュシステム。
【発明の詳細な説明】
【技術分野】
【０００１】
本発明は、フラッシュの特性に応じて画像処理を施す技術に関する。
【背景技術】
【０００２】
フラッシュを発光させてデジタルカメラで被写体の撮影を行った場合、取得される画像データには被写体を照明するフラッシュ光の影響が加えられている。このため従来より、フラッシュ発光時に取得される画像データに対して、フラッシュの発光特性を考慮して、色補正などの画像処理を施す技術が提案されている。
【０００３】
例えば、特開２０００−５０２８６には、内蔵フラッシュの特性に応じた補正データを予め記憶しておき、内蔵フラッシュ発光時に取得される画像データに対して当該補正データを適用して色補正を行うデジタルカメラが開示されている。
【発明の開示】
【発明が解決しようとする課題】
【０００４】
しかしながら、上記のデジタルカメラでは、内蔵フラッシュの特性に応じた補正データを固定的に利用するため、交換可能な外部フラッシュを使用した場合においては補正データを利用することができず、外部フラッシュの特性を反映した色補正を行うことができないといった問題があった。
【０００５】
また一方で、デジタルカメラで取得される画像データに関して、モニタやプリンタ等の出力側デバイスでの色再現性を向上させることが強く要望されている。このため、いかなる外部フラッシュを使用した場合であっても、使用した外部フラッシュの特性を反映した色補正を画像データに適切に行う必要が生じていた。
【０００６】
本発明は、上記課題に鑑みてなされたものであり、画像データに対して外部フラッシュの特性を反映した色補正を適切に行える技術を提供することを目的とする。
【課題を解決するための手段】
【０００７】
上記課題を解決するため、請求項１の発明は、外部フラッシュと連動可能なデジタルカメラであって、自身の特性に係る色補正情報を格納する外部フラッシュから、前記色補正情報を取得する取得手段と、被写体に係る画像データを取得する撮像手段と、前記色補正情報を前記画像データに関連付けする関連付け手段と、を備えている。
【０００８】
また、請求項２の発明は、外部フラッシュと連動可能なデジタルカメラであって、外部フラッシュの種類ごとに、その特性に係る色補正情報を記憶する記憶手段と、被写体に係る画像データを取得する撮像手段と、連動している外部フラッシュの種類に応じた前記色補正情報に基づいて前記画像データに色補正を行う色補正手段と、を備えている。
【０００９】
また、請求項３の発明は、外部フラッシュと連動可能なデジタルカメラであって、被写体に係る画像データを取得する撮像手段と、連動している外部フラッシュの特性に係る色補正情報と前記画像データとを関連付けて記録する記録手段と、を備えている。
【００１０】
また、請求項４の発明は、デジタルカメラと連動可能なフラッシュであって、当該フラッシュの特性に係る色補正情報を格納する格納手段、を備えている。
【００１１】
また、請求項５の発明は、フラッシュシステムであって、デジタルカメラと連動可能なフラッシュと、前記フラッシュの特性に係る色補正情報を、前記デジタルカメラによって読込み可能に格納した可搬性の記録媒体と、を備えている。
【発明の効果】
【００１２】
請求項１の発明によれば、外部フラッシュに格納されている色補正情報を取得して画像データに関連付けするため、いかなる外部フラッシュを使用した場合であっても、その外部フラッシュの特性を意識することなく、当該特性を反映した色補正を画像データに対して適切に行うことができる。
【００１３】
また、請求項２の発明によれば、外部フラッシュの特性に係る色補正情報を、外部フラッシュの種類ごとに予め記憶しておき、取得した画像データに対して外部フラッシュの種類に応じた色補正情報に基づいて色補正を施すため、外部フラッシュの特性を意識することなく、当該特性を反映した色補正を適切かつ自動的に行うことができる。
【００１４】
また、請求項３の発明によれば、デジタルカメラで取得される画像データと、外部フラッシュの色補正情報とが関連付けて記録されるため、画像データに対して他の外部装置で色補正を施す場合であっても、外部フラッシュの特性を意識することなく、当該特性を反映した色補正を適切に行うことができる。
【００１５】
また、請求項４の発明によれば、フラッシュがその特性に係る色補正情報を格納している。このため、デジタルカメラで特別なデータを持つことなく、色補正情報をデジタルカメラにおいて利用可能となり、フラッシュの特性を反映した色補正を適切に行うことができる。
【００１６】
また、請求項５の発明によれば、フラッシュと、当該フラッシュの特性に係る色補正情報をデジタルカメラによって読込み可能に格納する記録媒体とが同時に提供される。このため、デジタルカメラで特別なデータを持つことなく、色補正情報をデジタルカメラにおいて利用可能となり、フラッシュの特性を反映した色補正を適切に行うことができる。
【発明を実施するための最良の形態】
【００１７】
＜１．第１の実施の形態＞
＜１−１．デジタルカメラの要部構成＞
図１〜図３は、本発明の第１の実施の形態に係るデジタルカメラ１の要部構成を示す図であり、図１は内部主要部を含めた平面図、図２は図１のII−II位置から見た断面図、図３は背面図に相当する。これらの図は必ずしも三角図法に則っているものではなく、デジタルカメラ１の要部構成を概念的に例示することを主眼としている。
【００１８】
デジタルカメラ１は、銀塩一眼レフカメラを利用して構成されたカメラボディ２と、このカメラボディ２のレンズマウント部Ｍｔに着脱可能な交換レンズ３とを有している。カメラボディ２の上部にはアクセサリーシューＡｓが設けられており、種々の外部フラッシュが装着可能となっている。図２および図３においては外部フラッシュであるフラッシュ６が装着された様子を示している。
【００１９】
交換レンズ３の光軸方向Ｌの後方には、カメラボディ２内の後部上方の枢支部２１に回動可能に枢支されたクイックリターンミラーＭ１が配設され、さらにこのクイックリターンミラーＭ１の光軸方向Ｌの後方には、フォーカルプレーンシャッター２２と、さらにその後方にカラーエリアセンサのＣＣＤ２３とが配置されている。
【００２０】
このＣＣＤ２３の前面には、ＣＣＤ２３からのアナログ画像信号のサンプリング時の折り返しノイズの影響を抑える空間ローパスフィルタ２４が配設されている。
【００２１】
カメラボディ２では、クイックリターンミラーＭ１の上方位置において、銀塩カメラのファインダーに相当する光学部位２５が形成されており、この光学部位２５には、フォーカシングスクリーン２５１を介してペンタ形プリズム２５２が設けられている。さらに、このプリズム２５２とファインダー窓２５４との間には、接眼レンズ２５３が配置されている。このクイックリターンミラーＭ１、プリズム２５２および接眼レンズ２５３により、光学ファインダーを形成することとなる。
【００２２】
サブミラーＭ２は、クイックリターンミラーＭ１に一体化されたミラーであり、クイックリターンミラーＭ１に部分的に設けられたハーフミラー部を透過した光学像を、このサブミラーＭ２で測距センサ２６および測光センサ２７に向かわせる。測距センサ２６は交換レンズ３に内蔵されるレンズ群を合焦させるために被写体までの距離を検出するものであり、測光センサ２７は露光量を調節するために被写体の輝度を検出するものである。
【００２３】
カメラボディ２の上部には、シャッタボタン２９が設けられており、銀塩カメラで採用されているような半押し状態（Ｓ１）と全押し状態（Ｓ２）とが検出可能な２段階スイッチとなっている。
【００２４】
シャッタボタン２９が撮影者によって全押されるまでは、クイックリターンミラーＭ１は、図２に示すように光軸に対して４５度の角度で傾斜した定常位置にあり、交換レンズ３からの光軸Ｌをフォーカシングスクリーン２５１へと向かわせる。シャッタボタン２９が全押しされると、枢支部２１を中心として、ほぼ水平位置まで上方に回動して交換レンズ３からの光路を開放するようになっている。
【００２５】
カメラボディ２の内部には、交換レンズ３に含まれるフォーカスレンズを光軸方向Ｌに駆動するためのＡＦモータ２８が設けられるとともに、デジタルカメラ１に電力を供給する４本の電池Ｅと、撮影された画像データなどを記録するメモリカード９とが装填可能となっている。
【００２６】
カメラボディ２の背面には、ＣＣＤ２３の出力に基づいて得られた画像を表示する液晶ディスプレイ(ＬＣＤ)３１が設けられるとともに、「撮影モード」と「再生モード」などを切換設定する切替スイッチ３２が設けられている。撮影モードは、写真撮影を行なうモードであり、再生モードは、メモリカード９に記録された撮影画像をＬＣＤ３１に再生表示するモードである。
【００２７】
デジタルカメラ１の背面右方には、十字キー３３が設けられており、ボタンＵ、Ｄ、Ｌ、Ｒで各種操作が行える。また、カメラボディ２の背面には、デジタルカメラ１の電源を入り切りする電源スイッチ３４が設けられている。
【００２８】
フラッシュ６は主に、フラッシュ光の光源となるキセノンランプを有する発光部６１と、キセノンランプを発光させるための昇圧回路等を有する昇圧部６２とから構成される。また、昇圧部６２の内部にはフラッシュＲＯＭ６３が設けられており、このフラッシュＲＯＭ６３にはフラッシュ６の種類を示す情報等とともに、色補正情報（パラメータ）となるカラーマッチング用のＩＣＣ(International Color Consotium)プロファイルが格納されている。
【００２９】
一般にフラッシュは、その種類が異なりキセノンランプ等の光源が相違すれば、図４に示すように発光するフラッシュ光の分光特性Ｆａ，Ｆｂがそれぞれ異なる。なお、図４において、横軸は波長を、縦軸はフラッシュ光の強度を（すなわち、フラッシュ光の分光分布を）示している。このようなフラッシュ光の分光特性は、取得される画像データに対して影響を与えることとなる。このため、フラッシュ６は自身の特性を示す固有のＩＣＣプロファイルをデジタルカメラ１に提供することにより、デジタルカメラ１で取得される画像データに関する色再現性の向上を図ることとしている。
【００３０】
フラッシュ６の昇圧部６２の下部にはアタッチメント６４が設けられており、デジタルカメラ１のアクセサリーシューＡｓと接続される。
【００３１】
図５は、アクセサリーシューＡｓの要部構成を示す上面図である。アクセサリーシューＡｓには、フラッシュ６のアタッチメント６４と嵌合する二つの嵌合部Ｃａが設けられており、これによりフラッシュ６が固定されるようになっている。
【００３２】
また、二つの嵌合部Ｃａ間に相当するアクセサリーシューＡｓの中央部には、コネクタＣｂが設けられており、アタッチメント６４の所定位置に設けられたコネクタ（図示省略）と電気的に接続されるようになっている。これにより、フラッシュ６はデジタルカメラ１から発光指示信号等の各種信号を受信することができ、フラッシュ６とデジタルカメラ１とが連動することができる。さらに、このコネクタＣｂを介することにより、デジタルカメラ１はフラッシュ６からフラッシュＲＯＭ６３に格納されるＩＣＣプロファイルを含む各種情報を取得することができる。
【００３３】
＜１−２．デジタルカメラの機能ブロック＞
図６は、デジタルカメラ１の機能構成を示すブロック図である。
【００３４】
ＣＣＤ２３は、交換レンズ３によって結像された被写体の光像を、Ｒ（赤），Ｇ（緑），Ｂ（青）の色成分の画像信号（各画素で受光された画素信号の信号列からなる信号）に光電変換して出力する。すなわち、ＣＣＤ２３は、被写体に係る画像データを生成する。タイミングジェネレータ４１は、ＣＣＤ２３の駆動を制御するための各種のタイミングパルスを生成するものである。
【００３５】
デジタルカメラ１における露出制御は、測光センサ２７で検出された被写体の輝度に基づいて、絞り制御ドライバ４２による交換レンズ３内のレンズ群の絞りと、ＣＣＤ２３の露光量、すなわち、シャッタスピードに相当するＣＣＤ２３の電荷蓄積時間を調節して行なわれる。
【００３６】
タイミングジェネレータ４１は、タイミング制御回路４３から送信される基準クロック基づきＣＣＤ２３の駆動制御信号を生成するものである。タイミングジェネレータ４１は、例えば積分開始／終了（露出開始／終了）のタイミング信号、各画素の受光信号の読出制御信号（水平同期信号，垂直同期信号，転送信号等）等のクロック信号を生成し、ＣＣＤ２３に出力する。
【００３７】
信号処理部４４は、ＣＣＤ２３から出力される画像信号（アナログ信号）に所定のアナログ信号処理を施すものである。信号処理部４４は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００３８】
Ａ／Ｄ変換部４５は、画像信号の各画素信号を１２ビットのデジタル信号に変換するものである。Ａ／Ｄ変換部４５は、タイミング制御回路４３から入力されるＡ／Ｄ変換用のクロックに基づいて各画素信号（アナログ信号）を１２ビットのデジタル信号に変換する。
【００３９】
タイミングジェネレータ４１、Ａ／Ｄ変換部４５に対するクロックを生成するタイミング制御回路４３が設けられている。タイミング制御回路４３は、全体制御部４０内の基準クロックにより制御される。
【００４０】
黒レベル補正回路４６は、Ａ／Ｄ変換された画素信号の黒レベルを基準の黒レベルに補正するものである。また、ＷＢ（ホワイトバランス）回路４７は、Ｒ，Ｇ，Ｂの各色成分のレベル変換により、画素データに対してホワイトバランス補正を施すものである。ＷＢ回路４７は、全体制御部４０から入力されるレベル変換テーブルを用いてＲ，Ｇ，Ｂの各色成分の画素データのレベルを変換する。なお、レベル変換テーブルの各色成分のパラメータ（特性の傾き）は全体制御部４０により、オートまたはマニュアルで、撮影画像毎に設定される。
【００４１】
色補正回路４８は、連動しているフラッシュ６に関するＩＣＣプロファイル（以下、「フラッシュプロファイル」とも称する。）や、デジタルカメラ１に固有な色再現特性を示すＩＣＣプロファイル（以下、「カメラプロファイル」とも称する。）を、ＣＣＤ２３で取得された画像データに関連付けを行う。
【００４２】
画像メモリ４９は、色補正回路４８から出力される画素データを記憶するメモリである。ＶＲＡＭ５０は、ＬＣＤ３１に表示される画像データのバッファメモリである。また、バックライト５１はＬＣＤ３１の背面に光を供給する。
【００４３】
デジタルカメラ１のフォーカス制御は、測距センサ２６で検出された被写体の距離に基づいて、ＡＦモータ２８を制御して交換レンズ３に含まれるフォーカスレンズを駆動することによって行われる。
【００４４】
デジタルカメラ１の再生モードにおいては、メモリカード９から読み出された画像データが全体制御部４０で所定の信号処理が施された後、ＶＲＡＭ５０に転送され、ＬＣＤ３１に再生表示されることとなる。
【００４５】
カードＩ／Ｆ５２は、メモリカード９への画像データの書込み及び画像データの読出しを行なうためのインターフィースである。また、通信用Ｉ／Ｆ５３は、外部の画像処理装置８等と通信可能に外部接続するための、例えばＵＳＢ規格に準拠したインターフェースである。このカードＩ／Ｆ５２、通信用Ｉ／Ｆ５３を介して、メモリカード９やＣＤ−ＲＯＭなどの記録媒体に記録している制御プログラムを、全体制御部４０のメモリに取り込むことができる。
【００４６】
操作部５４は、切替スイッチ３２、十字キー３３などで構成されている。
【００４７】
ＲＴＣ５５は、撮影日時を管理するするための時計回路である。図示しない別の電源で駆動される。
【００４８】
カメラ操作部５６は、主にデジタルカメラ１の撮影操作に関連するシャッタボタン２９、電源スイッチ３４などで構成されている。
【００４９】
フラッシュ制御回路５８は、外部フラッシュの発光を制御する回路である。カメラ制御用ＣＰＵ５７からの制御信号に基づいて、フラッシュ６に対して発光指示信号を送信する。
【００５０】
全体制御部４０は、ＣＰＵおよびメモリ(ＲＡＭ４０ａ)を有しており、上述したデジタルカメラ１の各部と有機的に接続してデジタルカメラ１の動作を統括制御するものである。また、全体制御部４０はＲＯＭ４０ｂを有しており、このＲＯＭ４０ｂには、デジタルカメラ１に固有のＩＣＣプロファイルＰｃと、デジタルカメラ１と連動可能なｎ種類の外部フラッシュに対するＩＣＣプロファイルＰ１、Ｐ２、・・、Ｐｎが予め準備されて記憶される。
【００５１】
カメラ制御ＣＰＵ５７は、全体制御部４０と通信可能に接続されており、主に撮影者からのデジタルカメラ１への操作を処理するとともに、絞り制御ドライバ４２、ＡＦモータ２８およびフラッシュ制御回路５８の制御を担う。
【００５２】
全体制御部４０は、撮影モードにおいて、シャッタボタン２９により撮影が指示されると、撮影指示後に画像メモリ４９に取り込まれた画像のサムネイル画像と設定された圧縮率によりＪＰＥＧ方式で圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード９に記憶する。
【００５３】
メモリカード９では、図７に示すように、デジタルカメラ１によって記録された画像を圧縮して記憶可能であり、各コマには、タグ情報の部分と、ＪＰＥＧ形式で圧縮された高解像度の画像データ（例えば１６００×１２００画素）とサムネイル表示用の画像データ（例えば８０×６０画素）が記録されている。このタグ情報の部分には、デジタルカメラ１に関連するカメラプロファイルＰｃとともに、フラッシュ６に関連するフラッシュプロファイルＰｆが、画像データに関連付けて記録される。
【００５４】
＜１−３．プロファイルの利用例＞
図８は、画像データと関連付けて記録されるＩＣＣプロファイルを利用するシステムの一例を示す図である。
【００５５】
図８に示す画像処理装置８は、ＣＰＵ、ＲＡＭ、ＲＯＭ、固定ディスク等を有する一般的なコンピュータ８ａと、ディスプレイ８ｂとを備えた構成で実現される。コンピュータ８ａの固定ディスクには、色補正等の画像処理に必要となるプログラムがコンピュータ８ａの内部に予め記憶されている。図８において、画像表示アプリケーションＡｐおよびガマット(Gamut)調整部Ｇｍは、このプログラムに従ってＣＰＵ等により実現される機能を示している。
【００５６】
デジタルカメラ１で撮影された画像データＤｔと、画像データＤｔに関連付けられたフラッシュ６のフラッシュプロファイルＰｆおよびデジタルカメラ１のカメラプロファイルＰｃとは、例えばメモリカード９を介して、画像処理装置８に入力される。
【００５７】
画像処理装置８では、まず、画像表示アプリケーションＡｐにより入力側デバイス（デジタルカメラ１およびフラッシュ６）に固有の特性を示すＩＣＣプロファイルＰｃ，Ｐｆを反映する色補正が画像データＤｔに施される。
【００５８】
次に、補正が施された画像データＤｔはガマット調整部Ｇｍに入力され、ガマット調整部Ｇｍにより、出力側デバイスであるディスプレイ８ｂに固有の特性を示す予め準備されたＩＣＣプロファイルＰｄに基づいて、ガマット（色再現域）を調整する処理が施される。このような処理により、ディスプレイ８ｂに適切な色再現性を有する画像が表示されることとなる。すなわち、入力側および出力側の両デバイスのＩＣＣプロファイルを反映した色補正を行うことによって、適切な色再現を行うことができる。
【００５９】
なお、フラッシュ６のＩＣＣプロファイルは、上記のように画像処理装置のディスプレイに表示する場合だけでなく、プリンタ等において画像データを紙媒体に印刷する場合や、デジタルカメラ１のＬＣＤ３１に画像データを表示する場合など、出力側デバイスを問わず利用することが可能である。
【００６０】
＜１−４．デジタルカメラの動作＞
次に、デジタルカメラ１の動作について説明する。図９は、デジタルカメラ１がフラッシュ６を装着した際の動作の流れを示すフローチャートである。本動作は、フラッシュ６の装着（すなわち、アクセサリーシューＡｓのコネクタＣｂの接触）が検出された際に全体制御部４０により実行される。
【００６１】
まず、カメラボディ２に装着されたフラッシュ６の種類が確認される。具体的には、フラッシュ６のフラッシュＲＯＭ６３に格納されている種類を示す情報が、コネクタＣｂおよびカメラ制御用ＣＰＵ５７を介して全体制御部４０により取得される（ステップＳＴ１）。
【００６２】
このとき、フラッシュ６にフラッシュＲＯＭ６３が存在していないか、あるいはフラッシュＲＯＭ６３が存在していてもフラッシュ６の種類を判別できない場合は、フラッシュ６の種類が不明と判断され（ステップＳＴ２にてＹｅｓ）、フラッシュプロファイルＰｆの関連付け禁止設定がなされる（ステップＳＴ３）。すなわち、デジタルカメラ１で撮影される画像データに対して、連動しているフラッシュ６の色補正情報を関連付けて記録しないように設定される。これは、フラッシュ６の種類が不明のため、画像データに対して有効なＩＣＣプロファイルの関連付けができないためである。
【００６３】
一方、フラッシュ６の種類が確認できた場合（ステップＳＴ２にてＮｏ）は、フラッシュ６の種類に応じたフラッシュプロファイルＰｆを得るために、まず、フラッシュ６のフラッシュＲＯＭ６３が確認され（ステップＳＴ４）、フラッシュＲＯＭ６３内にＩＣＣプロファイルが格納されているか否かが確認される（ステップＳＴ５）。
【００６４】
フラッシュＲＯＭ６３内にＩＣＣプロファイルが格納されていない場合（ステップＳＴ５にてＮｏ）は、カメラボディ２内における全体制御部４０のＲＯＭ４０ｂが確認され（ステップＳＴ７）、ＲＯＭ４０ｂ内に予め記憶されているＩＣＣプロファイルＰ１、Ｐ２、・・、Ｐｎ中にフラッシュ６の種類に対応するものが格納されているか否かが確認される（ステップＳＴ８）。
【００６５】
すなわち、フラッシュ６のフラッシュＲＯＭ６３内が優先的に確認され、フラッシュＲＯＭ６３内にＩＣＣプロファイルが格納されていない場合にのみ、カメラボディ２のＲＯＭ４０ｂ内が確認されることとなる。ＩＣＣプロファイルはデバイスに固有のものであるため、フラッシュ６のフラッシュＲＯＭ６３内を優先的に確認することで、より信頼性の高いフラッシュプロファイルＰｆを得ることができる。
【００６６】
フラッシュＲＯＭ６３がＩＣＣプロファイルを格納せず、かつ、カメラボディ２のＲＯＭ４０ｂにおいてフラッシュ６の種類に対応するＩＣＣプロファイルが記憶されていない場合には、有効なＩＣＣプロファイルの関連付けができないため、ステップＳＴ３と同様に、フラッシュプロファイルＰｆの関連付け禁止設定がなされる（ステップＳＴ９）。
【００６７】
一方、フラッシュＲＯＭ６３内にＩＣＣプロファイルが格納されていた場合（ステップＳＴ５にてＹｅｓ）、あるいは、カメラボディ２のＲＯＭ４０ｂにおいてフラッシュ６の種類に対応するＩＣＣプロファイルが記憶されていた場合（ステップＳＴ８にてＹｅｓ）は、連動しているフラッシュ６の種類に応じたフラッシュプロファイルＰｆの関連付けを行う設定がなされる。すなわち、デジタルカメラ１で撮影される画像データに対して、外部フラッシュの色補正情報を関連付けて記録するように設定される（ステップＳＴ６）。
【００６８】
具体的には、フラッシュＲＯＭ６３内にＩＣＣプロファイルが格納されていた場合は、当該ＩＣＣプロファイルがコネクタＣｂおよびカメラ制御用ＣＰＵ５７を介して全体制御部４０により取得されてＲＡＭ４０ａに読み出される。一方、カメラボディ２のＲＯＭ４０ｂにおいてフラッシュ６の種類に対応するＩＣＣプロファイルが記憶されていた場合は、当該ＩＣＣプロファイルが選択的にＲＡＭ４０ａに読み出される。これにより、ＲＡＭ４０ａに読み出されたＩＣＣプロファイルが、関連付けを行うフラッシュプロファイルＰｆとされ、色補正回路４８に取り扱い可能とされる。
【００６９】
次に、フラッシュ６と連動して（フラッシュ６を発光させて）撮影する場合におけるデジタルカメラ１の動作について図１０のフローチャートを参照しつつ説明する。
【００７０】
まず、シャッタボタン２９が半押し（Ｓ１状態）されると（ステップＳＴ１１にてＹｅｓ）、カメラ制御用ＣＰＵ５７により撮影のための準備がなされる。
【００７１】
すなわち、測距センサ２６からの被写体の距離に基づいてＡＦモータ２８が制御され、交換レンズ３により形成される像の位置がＣＣＤ２３の撮像面に一致される。さらに、測光センサ２７からの被写体の輝度に基づいて露出条件（絞り、シャッタースピード）の設定がなされる（ステップＳＴ１２）。
【００７２】
次に、シャッタボタン２９が全押し（Ｓ２状態）されると（ステップＳＴ１３にてＹｅｓ）、フラッシュ制御回路５８からフラッシュ６に発光指示信号が送信されてフラッシュ６が被写体に向けて発光し（ステップＳＴ１４）、ＣＣＤ２３が設定された露光時間だけ露光して、被写体の画像データが画像信号として取り込まれる（ステップＳＴ１５）。この画像データはフラッシュ６を発光して取得されたものであるため、フラッシュ６の分光特性の影響が加えられたものとなる。
【００７３】
続いて、画像データがＣＣＤ２３から出力され、信号処理部４４、Ａ／Ｄ変換部４５および黒レベル補正回路４６にて所定の処理が施され、さらに、ＷＢ回路４７においてホワイトバランス補正が施される（ステップＳＴ１６）。
【００７４】
次に、全体制御部４０により、画像データに対してフラッシュプロファイルＰｆの関連付けを行う設定となっているか、あるいは、関連付け禁止設定であるかが判断される（ステップＳＴ１７）。
【００７５】
フラッシュプロファイルＰｆの関連付けを行う設定の場合（ステップＳＴ１７にてＹｅｓ）は、色補正回路４８により画像データに対してカメラプロファイルＰｃとともに、ＲＡＭ４０ａに読み出されたフラッシュプロファイルＰｆが関連付けられる（ステップＳＴ１８）。
【００７６】
一方、関連付け禁止設定である場合（ステップＳＴ１７にてＮｏ）は、色補正回路４８により画像データに対してカメラプロファイルＰｃのみが関連付けられる（ステップＳＴ１９）。このように、関連付けを行う設定の場合にのみフラッシュプロファイルＰｆを関連付けるため、連動しているフラッシュ６に有効なＩＣＣプロファイルのみが画像データに対して関連付けられることとなる。
【００７７】
続いて、画像データが全体制御部４０の処理によりメモリカード９に記録される。これにより、連動している外部フラッシュの特性に係る色補正情報と画像データとが関連付けられて図７の如く記録されることとなる（ステップＳＴ２０）。
【００７８】
以上、第１の実施の形態について説明を行ったが、デジタルカメラ１では、外部フラッシュに格納されたＩＣＣプロファイル、あるいは、外部フラッシュの種類に応じて予め準備されたＩＣＣプロファイルを、フラッシュプロファイルＰｆとして取得した画像データに関連付けて記録する。
【００７９】
これにより、デジタルカメラ１の出荷時点において存在する既存の外部フラッシュ(これらにはフラッシュＲＯＭ内にＩＣＣプロファイルが格納されていない)に対しては、デジタルカメラ１内のＩＣＣプロファイルによって、外部フラッシュの特性に応じた適切な色補正が行えるとともに、デジタルカメラ１の出荷以降に新規に提供される外部フラッシュに対しては、フラッシュＲＯＭ内のＩＣＣプロファイルによって適切な色補正が行える。つまり、あらゆる外部フラッシュに対しても、外部フラッシュの特性を意識することなく、当該外部フラッシュの特性を反映した色補正を適切に行えることとなる。
【００８０】
＜２．第２の実施の形態＞
次に、本発明の第２の実施の形態について説明を行う。第１の実施の形態のデジタルカメラ１は、取得した画像データに対してフラッシュプロファイルＰｆを関連付けて記録するのみであったが、本実施の形態のデジタルカメラ１は、フラッシュプロファイルＰｆに基づいて取得した画像データに対して色補正を行う。
【００８１】
本実施の形態のデジタルカメラ１の構成は図１ないし図３、図５および図６に示すものとほぼ同様であるが、色補正回路４８（図６参照）の機能構成が相違する。
【００８２】
図１１は、本実施の形態の色補正回路４８の機能構成を示すブロック図である。色補正回路４８は、画像データのＲＧＢ値をＬａｂ値へ変換するＬａｂ変換部７１と、フラッシュプロファイルＰｆに基づいてＬａｂ値を補正する色補正部７２と、色補正されたＬａｂ値をＲＧＢ値へ変換するＲＧＢ変換部７３とを備えている。
【００８３】
本実施の形態のデジタルカメラ１のフラッシュ６を装着した際における動作の流れは図９に示す流れとほぼ同様である。ただし、ステップＳＴ６においてフラッシュプロファイルＰｆの関連付けを行う設定ではなくフラッシュプロファイルＰｆに基づいて色補正を行う設定がなされ、また、ステップＳＴ３およびステップＳＴ９においてはフラッシュプロファイルＰｆの関連付け禁止設定ではなくフラッシュプロファイルＰｆに基づく色補正禁止設定がなされる。
【００８４】
図１２は、本実施の形態におけるデジタルカメラ１のフラッシュ６と連動して撮影する場合の動作の流れを示すフローチャートである。ステップＳＴ３１〜ステップＳＴ３６の動作は、図１０のステップＳＴ１１〜ステップＳＴ１６の動作と同様であるため説明を省略する。ステップＳＴ３６の動作終了時点で、画像データにはホワイトバランス補正が施されている。
【００８５】
ステップＳＴ３７においては、画像データに対してフラッシュプロファイルＰｆに基づいて色補正を行う設定となっているか、あるいは、色補正の禁止設定であるかが全体制御部４０により判断される。
【００８６】
色補正禁止設定である場合（ステップＳＴ３７にてＮｏ）は、第１の実施の形態と同様に、色補正回路４８により画像データに対してカメラプロファイルＰｃが関連付けられて（ステップＳＴ３９）メモリカード９に記録される（ステップＳＴ４０）。
【００８７】
一方、色補正を行う設定の場合（ステップＳＴ３７にてＹｅｓ）は、画像データに対して、色補正回路４８によりフラッシュプロファイルＰｆに基づく色補正が行われて（ステップＳＴ３８）から、カメラプロファイルＰｃが関連付けられて（ステップＳＴ３９）メモリカード９に記録される（ステップＳＴ４０）。
【００８８】
ステップＳＴ３８においては、まず、Ｌａｂ変換部７１により画像データの各画素のＲＧＢ値が、Ｌａｂ色空間へと変換され、明度を示すＬ値および色相および彩度を示すａ値，ｂ値（Ｌａｂ値）へと変換される。
【００８９】
そして、色補正部７２により全体制御部４０のＲＡＭ４０ａに記憶されたフラッシュプロファイルＰｆが読み出されて、該フラッシュプロファイルＰｆに基づいてフラッシュ６の特性を反映した色補正が行われる。これにより、各画素のａ値，ｂ値が補正されてａ’値，ｂ’値とされる。なお、明度を示すＬ値の補正は行われず、補正された各画素値はＬａ’ｂ’値とされる。各画素のＬａ’ｂ’値は、ＲＧＢ変換部７３により再度ＲＧＢ色空間へと変換され（Ｒ’Ｇ’Ｂ’値へと変換され）、以降は色補正禁止設定と同様の処理が行われることとなる。
【００９０】
以上、第２の実施の形態について説明を行ったが、デジタルカメラ１では、外部フラッシュに格納されたＩＣＣプロファイル、あるいは、外部フラッシュの種類に応じて予め準備されたＩＣＣプロファイルに基づいて、取得した画像データに対して色補正を行う。このため、第１の実施の形態と同様に、あらゆる外部フラッシュに対しても、外部フラッシュの特性を意識することなく、当該外部フラッシュの特性を反映した色補正を適切に行えることとなる。
【００９１】
また、画像データに対するホワイトバランス補正を行った後、フラッシュプロファイルＰｆに基づく色補正を行うため、被写体に忠実な色再現を行うことができる。
【００９２】
また、外部フラッシュの特性を反映した色補正を行ってから画像データを記録するため、出力側デバイスにおいて出力する際において外部フラッシュの特性を考慮せずとも容易に当該画像データの色再現を行うことができる。
【００９３】
＜３．変形例＞
以上、本発明の実施の形態について説明してきたが、この発明は上記実施の形態に限定されるものではなく様々な変形が可能である。
【００９４】
◎上記実施の形態のデジタルカメラ１は、フラッシュの特性を示すＩＣＣプロファイルを格納した記録媒体からＩＣＣプロファイルを読み出して利用できるようになっていてもよい。
【００９５】
このようなデジタルカメラ１と連動することを目的とするフラッシュ６は、図１３に示すようなフラッシュシステム９０として提供される。図１３に示すようにフラッシュシステム９０は、フラッシュ６と、可搬性の記録媒体であるメモリカード９とが同梱された状態となっている。メモリカード９には、フラッシュ６に固有の特性を示すＩＣＣプロファイルＰｒがデジタルカメラ１にて読込み可能に格納されている。
【００９６】
このようなフラッシュシステム９０であれば、フラッシュ６がＩＣＣプロファイルを格納していなくても、同梱されているメモリカード９が格納したＩＣＣプロファイルＰｒをデジタルカメラ１によって読込ませることにより、デジタルカメラ１においてＩＣＣプロファイルＰｒを利用可能となる。これにより、フラッシュ６と連動させつつデジタルカメラ１によって取得された画像データに対してフラッシュ６の特性を反映した（ＩＣＣプロファイルＰｒに基づいた）色補正を行うことができるため、適切な色再現を行うことができる。さらに、デジタルカメラ１内に記憶しているＩＣＣプロファイルの書き換えや更新を行うことも可能となる。
【００９７】
また、メモリカード９内のＩＣＣプロファイルＰｒが図８に示す画像処理装置８において読込み可能に格納されていれば、画像処理装置８がＩＣＣプロファイルＰｒを利用可能となる。すなわち、デジタルカメラ１において画像データＤｔに対してフラッシュプロファイルＰｆの関連付けを行わなくても、画像処理装置８において画像データＤｔに対してフラッシュ６の特性を反映した（ＩＣＣプロファイルＰｒに基づいた）色補正を行うことができ、適切な色再現を行うことができる。
【００９８】
◎上記実施の形態のフラッシュ６のフラッシュＲＯＭ６３内に格納されるＩＣＣプロファイルは更新可能となっていてもよい。例えば、デジタルカメラ１に、メモリカード９や外部コンピュータ等からフラッシュ６の特性に応じた新規なＩＣＣプロファイルを取得させる。そして、フラッシュ６をデジタルカメラ１に装着し、デジタルカメラ１からコネクタＣｂを介してフラッシュＲＯＭ６３のＩＣＣプロファイルを書き換え更新させる。
【００９９】
これによれば、フラッシュ６の経年劣化等による特性の変化に適宜対応することができ、フラッシュ６の特性の変化があった場合であってもその特性を反映した色補正を適切に行うことができることとなる。
【０１００】
◎上記実施の形態においては、色補正情報としてＩＣＣプロファイルを用いるものとして説明を行ったが、色補正に用いる情報であれば、どのようなデータフォーマットの情報を用いてもよい。
【０１０１】
◎上記第２の実施の形態において色補正回路４８は、ＲＧＢ値をＬａｂ色空間に変換して色補正を行っていたが、ＸＹＺ色空間などの他の色空間に変換して色補正を行うようにしてもよく、色空間の変換を行わずに色補正を行うようになっていてもよい。
【０１０２】
◎上述した具体的実施の形態には、以下の構成を有する発明が含まれている。
【０１０３】
（１）  請求項１の発明であって、外部フラッシュの種類ごとに、その特性に係る色補正情報を記憶する記憶手段と、連動している外部フラッシュが、自身の特性に係る色補正情報を格納しているか否かを判定する判定手段と、をさらに備え、前記関連付け手段は、前記連動している外部フラッシュが前記色補正情報を格納している場合には、該外部フラッシュに格納される前記色補正情報を、前記画像データに関連付けする手段と、前記連動している外部フラッシュが前記色補正情報を格納していない場合には、該外部フラッシュの種類に応じた前記記憶手段に記憶される前記色補正情報を、前記画像データに関連付けする手段と、を備えることを特徴とするデジタルカメラ。
【０１０４】
これによれば、デジタルカメラの出荷時点において既存の外部フラッシュに対しては、デジタルカメラ内に記憶される色補正情報によって色補正を行うことができるとともに、デジタルカメラの出荷以降に新規に提供される外部フラッシュに対しては外部フラッシュに格納される色補正情報によって色補正を行うことができる。すなわち、いかなる外部フラッシュに対しても、当該外部フラッシュの特性を反映した色補正を画像データに対して適切に行うことができる。
【０１０５】
（２）  外部フラッシュと連動可能なデジタルカメラで取得される画像データに対して処理を行う画像処理装置であって、前記画像データに関連付けられて記録された外部フラッシュの特性に係る色補正情報に基づいて、前記画像データに対して画像処理を行う手段、を備えることを特徴とする画像処理装置。
【０１０６】
これによれば、画像データが取得されたデジタルカメラ以外の画像処理装置において、外部フラッシュの特性を反映した色補正などの画像処理を画像データに対して適切に行うことができる。
【０１０７】
（３）  デジタルカメラと連動可能なフラッシュと、前記フラッシュの特性に係る色補正情報を、前記デジタルカメラで取得される画像データに対して処理を行う画像処理装置によって読込み可能に格納する記録媒体と、を備えることを特徴とするフラッシュシステム。
【０１０８】
これによれば、記録媒体に格納された色補正情報を画像処理装置において読み出すことにより、デジタルカメラで取得された画像データに対して、フラッシュの特性を反映した色補正などの画像処理を適切に行うことができる。
【図面の簡単な説明】
【０１０９】
【図１】本発明の実施の形態に係るデジタルカメラの要部構成を示す平面図である。
【図２】デジタルカメラの要部構成を示す断面図である。
【図３】デジタルカメラの要部構成を示す背面図である。
【図４】異なる種類の外部フラッシュに関する分光特性を説明するための図である。
【図５】デジタルカメラのアクセサリーシューの要部構成を示す図である。
【図６】デジタルカメラの機能構成を示すブロック図である。
【図７】メモリカードに記憶されるデータ構成を説明するための図である。
【図８】プロファイルを利用するシステムの一例を示す図である。
【図９】デジタルカメラの外部フラッシュ装着時における動作の流れを示す図である。
【図１０】第１の実施の形態のデジタルカメラの撮影動作の流れを示す図である。
【図１１】第２の実施の形態の色補正回路の機能構成を示すブロック図である。
【図１２】第２の実施の形態のデジタルカメラの撮影動作の流れを示す図である。
【図１３】フラッシュシステムの概要を示す図である。
【符号の説明】
【０１１０】
１      デジタルカメラ
６      フラッシュ
８      画像処理装置
９      メモリカード
４０      全体制御部
４８      色補正回路
６１      発光部
９０      フラッシュシステム
Ｃｂ      コネクタ
Ｐｃ      カメラプロファイル
Ｐｆ      フラッシュプロファイル
【図１】
2006087099.tif 000003
【図２】
2006087099.tif 000004
【図３】
2006087099.tif 000005
【図４】
2006087099.tif 000006
【図５】
2006087099.tif 000007
【図６】
2006087099.tif 000008
【図７】
2006087099.tif 000009
【図８】
2006087099.tif 000010
【図９】
2006087099.tif 000011
【図１０】
2006087099.tif 000012
【図１１】
2006087099.tif 000013
【図１２】
2006087099.tif 000014
【図１３】
2006087099.tif 000015